(57)【特許請求の範囲】
【請求項１】
栽培液を流すベッド本体（１）と、ベッド本体（１）の両側壁（６）の内側に被せる蓋（２）を備え、前記両側壁（６）の内側であってベッド本体（１）の底面から上方に複数の受突子（３）が突設され、それら受突子（３）はベッド本体（１）の長手方向に所定間隔で形成され、蓋（２）の内面幅方向両端側に複数の乗せ突子（４）がベッド本体（１）側に突出して形成され、それら複数の乗せ突子（４）は蓋（２）の長手方向に所定間隔で形成され且つ前記受突子（３）の上に乗せることができるように受突子（３）の横幅間隔と同じ又はほぼ同じ横幅間隔で形成され、ベッド本体（１）の両側壁（６）の内側に被せた蓋（２）の乗せ突子（４）を受突子（３）の上に乗せるとベッド本体（１）の底板上面（５）と蓋（２）の内面との間の間隔（Ｈ）が広がり、蓋（２）をベッド本体（１）の長手方向にずらして乗せ突子（４）を受突子（３）から外して蓋（２）の乗せ突子（４）間の内面を受突子（３）の上に支持させるとベッド本体（１）の底板上面（５）と蓋（２）の内面との間の間隔（Ｈ）が狭くなるようにしたことを特徴とする水耕栽培用ベッド部材。
【請求項２】
始端用ベッド（１０）と終端用ベッド（１１）との間に所望数の中間用ベッド（１２）が一連に配置され、始端用ベッド（１０）は始端用ベッド本体（１０ａ）と蓋（２）とで構成され、終端用ベッド（１１）は終端用ベッド本体（１１ａ）と蓋（２）とで構成され、中間用ベッド（１２）には請求項１記載の水耕栽培用ベッド部材が使用され、始端用ベッド本体（１０ａ）は底板上面（５）の幅方向両側に両側壁（６）が立設され且つ底板上面（５）の長手方向始端側に始端壁（７）が立設され、終端用ベッド本体（１１ａ）は底板上面（５）の幅方向両側に両側壁（６）が立設され且つ長手方向終端側に終端壁（８）が立設され且つ底板に排水穴（９）が形成され、始端用ベッド本体（１０ａ）と終端用ベッド本体（１１ａ）は共に両側壁（６）の内側に蓋（２）を被せることができ、夫々のベッド本体（１０ａ、１１ａ）の底面より上方に複数の受突子（３）が夫々のベッド本体（１０ａ、１１ａ）の長手方向に所定間隔で突設され、蓋（２）の内面幅方向両端側に複数の乗せ突子（４）がベッド本体（１）側に突出して形成され、それら複数の乗せ突子（４）は蓋（２）の長手方向に所定間隔で形成され且つ前記受突子（３）の上に乗せることができるように受突子（３）の横幅間隔と同じ又はほぼ同じ横幅間隔で形成され、夫々のベッド本体（１０ａ、１１ａ）の両側壁（６）の内側に被せた蓋（２）の乗せ突子（４）を受突子（３）の上に乗せると夫々のベッド本体（１０ａ、１１ａ）の底板上面（５）と蓋（２）内面との間の間隔（Ｈ）が広がり、蓋（２）を夫々のベッド本体（１０ａ、１１ａ）の長手方向にずらして乗せ突子（４）を受突子（３）から外して蓋（２）の乗せ突子（４）間の内面を受突子（３）の上に支持させると夫々のベッド本体（１０ａ、１１ａ）の底板上面（５）と蓋（２）の内面との間の間隔（Ｈ）が狭くなるようにしたことを特徴とする水耕栽培用ベッド。
【発明の詳細な説明】
【０００１】
【発明の属する技術分野】
本発明は水耕栽培用ベッドの組立てに使用されるベッド部材の改良と、そのベッド部材を使用した水耕栽培用ベッドに関するものであり、特に、苺の水耕栽培に使用するのに適するものである。
【０００２】
【従来の技術】
近年は葉菜、果菜等の栽培に水耕栽培が多くなっている。水耕栽培に使用する水耕栽培用ベッドは図７に示す様に、発泡スチロール製のベッド部材Ａを多数本接続して数十ｍの長さのベッド本体Ｂを組み立て、その上に発泡スチロール製の蓋Ｃを被せてベッドを形成し、蓋Ｃに形成されている穴Ｄに植物Ｅを定植し、ベッド本体Ｂに栽培液を流して、定植した植物Ｅに栽培液を供給するものである。ベッド本体Ｂ内を流れた栽培液はベッド部材Ａの終端に形成された排水路Ｆから外部の液体タンクに排出され、そこからポンプで組み上げられて給液パイプＧからベッド部材Ａの始端に供給されて、循環して使用される。
【０００３】
【発明が解決しようとする課題】
従来の水耕栽培用ベッドはベッド本体とそれに被せた蓋との間の間隔が一定であるため次のような課題があった。
１．植物が小さいときは根の本数が少なく、長さも短いが、植物が成長して大きくなると根の本数が多くなり、長さも長くなる。このため、根の本数が少なく、長さが短いときに前記間隔が広すぎると、根がベッド内を流れる液体に触れにくくなって液体の吸収が不充分になり、植物の生育に悪影響が出る虞れがある。逆に、根の本数が多く、長さが長くなったときに前記間隔が狭いと、根がベッド内で密生して伸びにくくなるとか、酸欠状態になって、植物の生育に悪影響が出ることがある。
２．前記課題を解決するためには、根の本数が少なく、長さが短いときは、前記間隔の狭い水耕栽培ベッドに植物を定植し、根の本数が多くなり、長さが長くなったら、前記間隔の広い水耕栽培ベッドに植物を定植し替えればよいが、そのようにすると定植し替える作業が面倒であり、また、そのために間隔の異なる水耕栽培ベッドを２種類用意しておかなければならず、設備費がかさみ、移し替えの作業も面倒である。
【０００４】
【課題を解決するための手段】
本発明の目的は、前記課題を解決するために、植物の生育状況に応じてベッド本体とそれに被せた蓋との間の間隔を調節できるようにすることにある。本願発明はその目的実現のために次のような手段を講じた。
【０００５】
本件出願の水耕栽培用ベッド部材は、請求項１記載のように、栽培液を流すベッド本体１と、ベッド本体１の両側壁６の内側に被せる蓋２を備え、前記両側壁６の内側であってベッド本体１の底面から上方に複数の受突子３が突設され、それら受突子３はベッド本体１の長手方向に所定間隔で形成され、蓋２の内面幅方向両端側に複数の乗せ突子４がベッド本体１側に突出して形成され、それら複数の乗せ突子４は蓋２の長手方向に所定間隔で形成され且つ前記受突子３の上に乗せることができるように受突子３の横幅間隔と同じ又はほぼ同じ横幅間隔で形成され、ベッド本体１の両側壁６の内側に被せた蓋２の乗せ突子４を受突子３の上に乗せるとベッド本体１の底板上面５と蓋２の内面との間の間隔Ｈが広がり、蓋２をベッド本体１の長手方向にずらして乗せ突子４を受突子３から外して蓋２の乗せ突子４間の内面を受突子３の上に支持させるとベッド本体１の底板上面５と蓋２の内面との間の間隔Ｈが狭くなるようにした。
【０００６】
【０００７】
本件出願の水耕栽培用ベッドは、請求項２記載のように、始端用ベッド１０と終端用ベッド１１との間に所望数の中間用ベッド１２が一連に配置され、始端用ベッド１０は始端用ベッド本体１０ａと蓋２とで構成され、終端用ベッド１１は終端用ベッド本体１１ａと蓋２とで構成され、中間用ベッド１２には請求項１記載の水耕栽培用ベッド部材が使用され、始端用ベッド本体１０ａは底板上面５の幅方向両側に両側壁６が立設され且つ底板上面５の長手方向始端側に始端壁７が立設され、終端用ベッド本体１１ａは底板上面５の幅方向両側に両側壁６が立設され且つ長手方向終端側に終端壁８が立設され且つ底板に排水穴９が形成され、始端用ベッド本体１０ａと終端用ベッド本体１１ａは共に両側壁６の内側に蓋２を被せることができ、夫々のベッド本体１０ａ、１１ａの底面より上方に複数の受突子３が夫々のベッド本体１０ａ、１１ａの長手方向に所定間隔で突設され、蓋２の内面幅方向両端側に複数の乗せ突子４がベッド本体１側に突出して形成され、それら複数の乗せ突子４は蓋２の長手方向に所定間隔で形成され且つ前記受突子３の上に乗せることができるように受突子３の横幅間隔と同じ又はほぼ同じ横幅間隔で形成され、夫々のベッド本体１０ａ、１１ａの両側壁６の内側に被せた蓋２の乗せ突子４を受突子３の上に乗せると夫々のベッド本体１０ａ、１１ａの底板上面５と蓋２内面との間の間隔Ｈが広がり、蓋２を夫々のベッド本体１０ａ、１１ａの長手方向にずらして乗せ突子４を受突子３から外して蓋２の乗せ突子４間の内面を受突子３の上に支持させると夫々のベッド本体１０ａ、１１ａの底板上面５と蓋２の内面との間の間隔Ｈが狭くなるようにした。
【０００８】
【発明の実施の形態】
（実施形態１）
本発明の水耕栽培用ベッド部材の第１の実施形態を図面に基づいて説明する。図示した水耕栽培用ベッド部材は始端用水耕栽培用ベッド部材である。図１に示すベッド部材は、栽培液を流すベッド本体１と、それに被せる蓋２とから構成されてなる。ベッド本体１と蓋２は共に発泡スチロール製である。
【０００９】
ベッド本体１は図２に示す様に、底板上面５の幅方向両側に両側壁６が立設され、底板上面５の終端部に終端壁８が立設され、底板上面５の始端側が開口されている。底板上面５の幅方向中央部の両側方にＶ字状に窪んだ２本の水路１５が形成されており、底板上面５の終端壁８側を一段低くした流合部１６が形成され、その中央に排出穴９が開口されて、２本の水路１５を流れてくる液体が流合部１６から排出穴９に流れ込んで外部に排出されるようにしてある。このベッド本体１の幅方向両側壁６の内側根元には、５個の受突子３が均一間隔で突設されている。左右の列の受突子３は突設位置を交互にずらして、一方の列の受突子３間に他方の列の受突子３が位置するようにしてある。前記両側壁６の上端には切欠き部１７が形成されている。この切欠き部１７は受突子３と同じ位置に形成されており、これによりベッド本体１の上に蓋２を被せても受突子３の位置が分かるようにしてある。また、この切欠き部１７から指を差し込んで、ベッド本体１の上に被せた蓋２の側面を指で持ち易くしてもある。
【００１０】
蓋２は図３に示すように薄い板状の天板２０に定植穴２１が２列に千鳥配列に開口されており、天板２０の内面の幅方向両側に数個の乗せ突子４が均一間隔で突設されている。この乗せ突子４の間隔は前記したベッド本体１の受突子３の間隔とほぼ同じにしてある。また、左右の列の乗せ突子４の突設位置を交互にずらして、一方の列の乗せ突子４間に他方の列の乗せ突子４が位置するようにしてある。
【００１１】
前記した蓋２はベッド本体１に図４（ａ）、（ｂ）の様に、或は図５（ａ）、（ｂ）の様に被せることができる。図４（ａ）、（ｂ）に示すものは、蓋２の乗せ突子４を受突子３から外して、乗せ突子３の下面がベッド本体１の底板上面５に接触するように、蓋２をベッド本体１に被せたものであり、図５（ａ）、（ｂ）に示すものは、蓋２の乗せ突子４を受突子３の上に乗せて、蓋２をベッド本体１に被せたものである。前者の場合はベッド本体１の底板上面５と蓋２の内面の間の間隔Ｈが乗せ突子３の高さと同じになり、後者の場合はベッド本体１の底板上面５と蓋２の内面との間の間隔Ｈが受突子３の高さに乗せ突子４の高さを加えた高さとなる。即ち、図４では間隔Ｈが狭くなり、図５では間隔Ｈが広くなる。
【００１２】
（実施形態２）
図示した水耕栽培用ベッド部材を使用して、本発明の水耕栽培用ベッドを組み立てるには図６の様にする。図６に示すものは始端用の水耕栽培用ベッド本体１０と終端用の水耕栽培用ベッド本体１１との間に中間用の水耕栽培用ベッド本体１２を所望枚数配置して数１０ｍの長さにし、始端用のベッド本体１０側から終端用のベッド本体１１側に向けて次第に下り傾斜になるように支柱２５の上に架設し、これらベッド本体１０、１１、１２の上に蓋２を被せる。この場合、蓋２の定植穴２１に定植する植物２６が苗の場合は、図１（ａ）のように蓋２の乗せ突子４を夫々のベッド本体１０、１１、１２の受突子３から外して被せる。この状態で、図６の給液パイプ２７から始端用の水耕栽培用ベッド本体１０に栽培液を供給して、栽培液を終端用の水耕栽培用ベッド本体１１側に流す。植物２６が成長したら、蓋２の位置をその長手方向にずらして図１（ｂ）のように、蓋２の乗せ突子４を夫々のベッド本体１０、１１、１２の受突子３の上に乗せて前記間隔Ｈを広くする。
【００１３】
【発明の効果】
本発明の水耕栽培用ベッド部材は次の様な効果がある。
１．ベッド本体に被せる蓋の位置をずらして、蓋の乗せ突子をベッド本体の受突子の上に乗せたり、それから下ろしたりするだけで、ベッド本体と蓋との間の間隔を調節することができるため、植物の成長（根の本数や張り具合）に合わせてその間隔を調節することができ、植物の生育環境に適した間隔調節ができ、根からの栽培液の吸収が不足するとか、根がベッド内で密生して伸びにくくなったり酸欠状態になったりすることがない。
２．ベッド本体と蓋との間の間隔を調節するための構造が簡潔であるため、実用化が容易であり、間隔調節の操作も容易である。
【００１４】
本発明の水耕栽培用ベッドは、ベッド本体と蓋の基本構造が従来からのものと同じであるため、従来からの水耕栽培用ベッドと同様に手軽に施工して使用することができ、その上、ベッド本体と蓋との間の間隔調節が容易にできるため、前記水耕栽培用ベッド部材と同様の効果がある。
【図面の簡単な説明】
【図１】  （ａ）は本発明の水耕栽培用ベッド部材の蓋を低くしてベッド本体に被せた状態の断面図、（ｂ）は本発明の水耕栽培用ベッド部材の蓋を高くしてベッド本体に被せた状態の断面図。
【図２】  本発明の水耕栽培用ベッド部材のベッド本体の一例を示す斜視図。
【図３】  本発明の水耕栽培用ベッド部材の蓋の一例を示す斜視図。
【図４】  （ａ）は本発明の水耕栽培用ベッド部材の蓋を低くしてベッド本体に被せた状態の斜視図、（ｂ）は（ａ）の断面図。
【図５】  （ａ）は本発明の水耕栽培用ベッド部材の蓋を高くしてベッド本体に被せた状態の斜視図、（ｂ）は（ａ）の断面図。
【図６】  本発明の水耕栽培用ベッドの組み立て例を示す斜視図。
【図７】  従来の水耕栽培用ベッドの一例を示す斜視図。
【符号の説明】
１はベッド本体
２は蓋
３は受突子
４は乗せ突子
５は底板上面
６は側壁
７は始端壁
８は終端壁
９は排水穴
Ｈは間隔
【図１】
0004029136.tif 000002
【図２】
0004029136.tif 000003
【図３】
0004029136.tif 000004
【図４】
0004029136.tif 000005
【図５】
0004029136.tif 000006
【図６】
0004029136.tif 000007
【図７】
0004029136.tif 000008